(57)【要約】      （修正有）【課題】木材を有効に利用することができるとともに、オブジェ、看板、室内装飾、内装材等として使用することができる利用分野を拡大して、従来、廃棄や焼却処分されていた木材でも利用できる装飾体および装飾体の製造方法を得る。【解決手段】木目や木肌の凹凸模様を適度に強調した自然素材である木材を用いた装飾体本体３と、この装飾体本体３の表面に木目や木肌の凹凸模様２を表現することができるように貼着固定されたデニム等の布、皮革、フィルム等の表面素材とで装飾体を構成している。【選択図】図２
2008284749.tif 000002
【特許請求の範囲】
【請求項１】
木目や木肌の凹凸模様を適度に強調した自然素材である木材を用いた装飾体本体と、この装飾体本体の表面に木目や木肌の凹凸模様を表現することができるように貼着固定されたデニム等の布、皮革、フィルム等の表面素材とからなることを特徴とする装飾体。  
【請求項２】
木目や木肌の凹凸模様を適度に強調した自然素材である木材を用いた装飾体本体の表面に、木目や木肌の凹凸模様を表現することができるようにデニム等の布、皮革、フィルム等の表面素材を貼着する貼着工程と、この貼着工程後に、表面素材の表面に前記装飾体本体の木目や木肌の凹凸模様を強調できるように加工する表面素材の表面加工工程とを含むことを特徴とする装飾体の製造方法。
【請求項３】
表面素材の表面加工工程はブラシやヤスリかけ、サンドブラスト等の機械的手段、漂白剤等の化学的手段、レーザーや紫外線等の光学的手段のいずれか、あるいはこれらを組み合わせた加工であることを特徴とする請求項２記載の装飾体の製造方法。
【請求項４】
表面素材の表面加工工程後に、装飾体本体より装飾体となる表面素材を取り外すことを特徴とする請求項２、３いずれかに記載の装飾体の製造方法。
【発明の詳細な説明】
【技術分野】
【０００１】
本発明は木目や木肌の凹凸模様を適度に強調した自然素材である木材を用いたオブジェ、看板、室内装飾、内装材等として使用することができる装飾体および装飾体の製造方法に関する。
【背景技術】
【０００２】
従来、木材を用いた装飾体は表面に塗料や防虫剤を塗布したり、炎や薬品で表面を焼いたり、印刷されたシールや薄い化粧木材を貼り合わせたものが使用されている。
【０００３】
このため、使用できるところが限られ、木材が十分に有効に利用されていないという欠点があった。
【特許文献１】特になし
【発明の開示】
【発明が解決しようとする課題】
【０００４】
本発明は以上のような従来の欠点に鑑み、木材を有効に利用することができるとともに、オブジェ、看板、室内装飾、内装材等として使用することができる利用分野を拡大して、従来、廃棄や焼却処分されていた木材でも利用できる装飾体および装飾体の製造方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は木目や木肌の凹凸模様を適度に強調した自然素材である木材を用いた装飾体本体と、この装飾体本体の表面に木目や木肌の凹凸模様を表現することができるように貼着固定されたデニム等の布、皮革、フィルム等の表面素材とで装飾体を構成している。
【０００７】
本発明は木目や木肌の凹凸模様を適度に強調した自然素材である木材を用いた装飾体本体の表面に、木目や木肌の凹凸模様を表現することができるようにデニム等の布、皮革、フィルム等の表面素材を貼着する貼着工程と、この貼着工程後に、表面素材の表面に前記装飾体本体の木目や木肌の凹凸模様を強調できるように加工する表面素材の表面加工工程とで装飾体の製造方法を構成している。
【発明の効果】
【０００８】
以上の説明から明らかなように、本発明にあっては次に列挙する効果が得られる。
【０００９】
（１）木材と、この木材の木目や木肌の凹凸模様を表現できるデニム等の布、皮革、フィルム等の表面素材とで構成されているので、今までにない素材の組み合わせの木材の木目や木肌の凹凸模様のある装飾体にすることができる。
したがって、木材の利用分野を拡大することができる。
【００１０】
（２）前記（１）によって、木材は表面素材で覆われているため、木目や木肌の凹凸模様があれば利用でき、木材の材質や形状、状態にかかわらず使用でき、従来、廃棄されていた根元部の木材でも使用することができる。
【００１１】
（３）前記（１）によって、特別な作業や機械設備を用いなくてもよいので、容易に製造することができる。
【００１２】
（４）請求項２も前記（１）〜（３）と同様な効果が得られるとともに、表面加工工程によって表面素材を研削したり、変色させたりして、使用して古くなったように加工することができ、表面を色々な状態にできる。
【００１３】
（５）請求項３も前記（１）〜（４）と同様な効果が得られる。
【００１４】
（６）請求項４は木材を用いた装飾体本体より外した表面素材を用いることにより、表面素材を単独で使用したり、表面素材を壁紙等として使用することができる。
【発明を実施するための最良の形態】
【００１５】
以下、図面に示す本発明を実施するための最良の形態により、本発明を詳細に説明する。
【００１６】
図１ないし図６に示す本発明を実施するための最良の第１の形態において、１は自然素材である木材を用いた本発明の、お店の看板として使用できる装飾体で、この装飾体１は木目の凹凸模様２を適度に強調した木の根元部等を用いた装飾体本体３と、この装飾体本体３の全表面あるいは一部の表面に木目の凹凸模様２を表現することができるように、貼着工程４で貼着固定されたデニム等の布、皮革、フィルム等の表面素材５と、この表面素材５の表面に前記装飾体本体３の木目の凹凸模様２を強調でき、かつ、お店の名前等の文字６があるように加工された模様７とで構成されている。
【００１７】
前記装飾体本体３は、あまり利用分野のない木材の根元部分が輪切りされ、かつ木目を強調できるように、木目間のやわらかい部分を少し除去したものが使用される。
なお、木目間のやわらかい部分の除去は、従来から行なわれている方法を用いて行なう。
また、前記貼着工程４は手作業で装飾体本体３全表面あるいは一部の表面に表面素材５を接着剤で貼着させたり、あるいはゴム膜の隔壁の片方から加圧し、他方から吸引する、市販されている真空圧着装置を用いて行ってもよい。
さらに、前記貼着工程４では装飾体本体３の全表面あるいは一部の表面に接着剤を塗布した後、表面素材５を配置し、圧接するが、この時、加熱したり、水溶性の接着剤を使用している場合には表面素材５を湿らせて行うことにより、接着効率を高めることができる。
【００１８】
前記模様７を加工する加工工程８は、装飾体本体３に貼着させた表面素材５の表面にブラシやヤスリをかけ、サンドブラスト等の機械的手段、漂白剤等の化学的手段、レーザーや紫外線等の光学的手段のいずれか、あるいはこれらを組み合わせて行なっている。
【００１９】
上記の装飾体１は木材の装飾体本体３に表面素材５を貼着する貼着工程４を行なった後、表面素材５の表面を加工する加工工程８で製造されるため、装飾体本体３として使用できる木材は、今まで利用価値のないものでも使用できるとともに、表面素材５に木目の凹凸模様２や、加工工程８で模様７が形成されるため、お店の看板として使用することができる。
[発明を実施するための異なる形態]
【００２０】
次に、図７ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図７ないし図１０に示す本発明を実施するための第２の形態において、前記本発明を実施するための最良の第１の形態と主に異なる点は、長方形状の板材を装飾体本体３Ａを用いて、表面素材５の貼着工程４および加工工程８を行なって内装材として使用できる装飾体１Ａを製造する装飾体の製造方法を行なった点で、このような方法でも前記本発明を実施するための最良の第１の形態と同様な作用効果が得られる。
【００２２】
図１１ないし図１４に示す本発明を実施するための第３の形態において、前記本発明を実施するための最良の第１の形態と主に異なる点は、木材の根元等の木肌の凹凸模様９を適度に強調した、置物として使用できる装飾体本体３Ｂを用いて、表面素材５の貼着工程４および加工工程８を行なって、置物として使用できる装飾体１Ｂを製造する装飾体の製造方法を行なった点で、このような方法でも前記本発明を実施するための最良の第１の形態と同様な作用効果が得られる。
【００２３】
図１５ないし図１８に示す本発明を実施するための第４の形態において、前記本発明を実施するための最良の第１の形態と主に異なる点は、置物として使用できる木目の凹凸模様２と木肌の凹凸模様９が形成された装飾体本体３Ｃを用いて、表面素材５の貼着工程４および加工工程８を行なって、置物としての装飾体１Ｃを製造する装飾体の製造方法を行なった点で、このような方法でも前記本発明を実施するための最良の第１の形態と同様な作用効果が得られる。
【００２４】
なお、前記本発明を実施するための各形態では、装飾体本体３、３Ａ、３Ｂ、３Ｃの全表面あるいは一部の表面に表面素材５を貼着する貼着工程４をしてから、該表面素材５の表面を加工する加工工程８を行うものに付いて説明したが、本発明はこれに限らず、加工工程８後に装飾体本体３、３Ａ、３Ｂ、３Ｃより表面素材５を外した、加工工程８が施された表面素材５だけの装飾体にしてもよい。
この場合、貼着工程４で使用される表面素材５を装飾体本体３、３Ａ、３Ｂ、３Ｃの全表面あるいは一部の表面に貼着させるための接着剤は水溶性の糊等を用いることにより、加工工程８後に装飾体本体３、３Ａ、３Ｂ、３Ｃより表面素材５を外す場合に、加工工程８後に表面素材５を湿らせることにより、容易に装飾体本体３、３Ａ、３Ｂ、３Ｃより加工工程８が施された表面素材５を剥がすことができる。
【産業上の利用可能性】
【００２５】
本発明は木材を用いたオブジェ、看板、室内装飾、内装材等を製造する産業で利用される。
【図面の簡単な説明】
【００２６】
【図１】本発明を実施するための最良の第１の形態の工程図。
【図２】本発明を実施するための最良の第１の形態の装飾体本体の説明図。
【図３】本発明を実施するための最良の第１の形態の貼着工程の説明図。
【図４】本発明を実施するための最良の第１の形態の表面加工工程の説明図。
【図５】本発明を実施するための最良の第１の形態の装飾体の正面図。
【図６】図５の６−６線に沿う拡大断面図。
【図７】本発明を実施するための第２の形態の工程図。
【図８】本発明を実施するための第２の形態の装飾体本体の説明図。
【図９】本発明を実施するための第２の形態の装飾体の正面図。
【図１０】図９の１０−１０線に沿う拡大断面図。
【図１１】本発明を実施するための第３の形態の工程図。
【図１２】本発明を実施するための第３の形態の装飾体本体の説明図。
【図１３】本発明を実施するための第３の形態の装飾体の正面図。
【図１４】本発明を実施するための第３の形態の装飾体の平面図。
【図１５】本発明を実施するための第４の形態の工程図。
【図１６】本発明を実施するための第４の形態の装飾体本体の説明図。
【図１７】本発明を実施するための第４の形態の装飾体の正面図。
【図１８】図１７の１８−１８線に沿う断面図。
【符号の説明】
【００２７】
１、１Ａ、１Ｂ、１Ｃ：装飾体、２：木目の凹凸模様、
３、３Ａ、３Ｂ、３Ｃ：装飾体本体、
４：貼着工程、                                ５：表面素材、        
６：文字、                                        ７：模様、
８：加工工程、                                ９：木肌の凹凸模様。                                                        
【図１】
2008284749.tif 000003
【図２】
2008284749.tif 000004
【図３】
2008284749.tif 000005
【図４】
2008284749.tif 000006
【図５】
2008284749.tif 000007
【図６】
2008284749.tif 000008
【図７】
2008284749.tif 000009
【図８】
2008284749.tif 000010
【図９】
2008284749.tif 000011
【図１０】
2008284749.tif 000012
【図１１】
2008284749.tif 000013
【図１２】
2008284749.tif 000014
【図１３】
2008284749.tif 000015
【図１４】
2008284749.tif 000016
【図１５】
2008284749.tif 000017
【図１６】
2008284749.tif 000018
【図１７】
2008284749.tif 000019
【図１８】
2008284749.tif 000020